(57)【要約】【課題】防犯機能をより向上させることができるようになる手動式シャッター装置のロック装置を提供すること。【解決手段】シャッターカーテン１の開閉移動を案内するガイドレールの内部には、シャッターカーテン１に設けられた係止部材４０と共に全閉のシャッターカーテン１を施錠するロック部材５１が配置され、ロック部材５１はストップ部材５３によってシャッターカーテン１の開き移動を阻止するための施錠位置に維持され、ストップ部材５３は、電気的制御装置で電気信号が生じたときに励磁されるソレノイド３０によってシャッターカーテン１を開き移動させることができる位置へ移動するが、通常時のストップ部材５３の位置は、ばね６４のため、ロック部材５１の位置を施錠位置に維持できるストップ位置となっている。【選択図】  図９
2004308305.tif 000002
【特許請求の範囲】
【請求項１】
開閉移動のうち、少なくとも開き移動が手操作でなされる開閉移動自在なシャッターカーテンのこの開き移動を阻止するためのロック部材を備えたシャッター装置のロック装置において、前記ロック部材の位置を前記シャッターカーテンが開き移動不能となった施錠位置から開き移動可能となった開錠位置へ変更可能とするための電気信号を生ずる電気的制御装置を有し、この電気的制御装置が前記電気信号を生じない通常時の前記ロック部材は、前記シャッターカーテンが開き移動不能となった前記施錠位置を維持していることを特徴とする手動式シャッター装置のロック装置。
【請求項２】
請求項１に記載の手動式シャッター装置のロック装置において、前記電気的制御装置は、前記ロック部材の位置を前記シャッターカーテンが開き移動不能となった施錠位置から開き移動可能となった開錠位置へ変更可能とするための前記電気信号が生じてからの時間を監視するための時間監視手段を有し、この時間監視手段で監視された所定時間経過後に前記ロック部材の位置は前記施錠位置に維持されることを特徴とする手動式シャッター装置のロック装置。
【請求項３】
請求項１又は２に記載の手動式シャッター装置のロック装置において、前記電気的制御装置は、送信手段からの無線信号を受信する受信手段を有し、この受信手段による前記無線信号の受信に基づき前記電気的制御装置は、前記ロック部材の位置を前記シャッターカーテンが開き移動不能となった前記施錠位置から開き移動可能となった前記開錠位置へ変更可能とするための前記電気信号を生ずることを特徴とする手動式シャッター装置のロック装置。
【請求項４】
請求項３に記載の手動式シャッター装置のロック装置において、前記送信手段から前記受信手段へ送信される前記無線信号には識別情報が含まれているとともに、前記電気的制御装置には、前記識別情報を記憶しておくための記憶手段と、前記送信手段から前記受信手段へ送られた識別情報が前記記憶手段に記憶された識別情報と一致するか否かを判定する判定手段とが設けられ、これらの識別情報が一致したときに前記電気的制御装置は、前記ロック部材の位置を前記シャッターカーテンが開き移動不能となった前記施錠位置から開き移動可能となった前記開錠位置へ変更可能とするための前記電気信号を生ずることを特徴とする手動式シャッター装置のロック装置。
【請求項５】
請求項１又は２に記載の手動式シャッター装置のロック装置において、前記電気的制御装置には、前記シャッターカーテンを開き移動操作する人についての個人情報を入力するための入力手段と、この個人情報を記憶しておくための記憶手段と、前記入力手段に入力された個人情報が前記記憶手段に記憶された個人情報と一致するか否かを判定する判定手段とが設けられ、これらの個人情報が一致したときに前記電気的制御装置は、前記ロック部材の位置を前記シャッターカーテンが開き移動不能となった前記施錠位置から開き移動可能となった前記開錠位置へ変更可能とするための前記電気信号を生ずることを特徴とする手動式シャッター装置のロック装置。
【請求項６】
請求項１〜５のいずれかに記載の手動式シャッター装置のロック装置において、前記電気的制御装置で生じた前記電気信号に基づいて作動する電気的駆動装置を有し、この電気的駆動装置には前記電気信号に基づいて駆動されるストップ部材が設けられ、前記電気的駆動装置が前記電気信号に基づいて作動してしない通常時のこのストップ部材の位置は、前記ロック部材の位置を前記シャッターカーテンが開き移動不能となった前記施錠位置から開き移動可能となった前記開錠位置へ変更不能とするストップ位置となっていることを特徴とする手動式シャッター装置のロック装置。
【請求項７】
請求項６に記載の手動式シャッター装置のロック装置において、前記シャッターカーテンの開閉移動を案内するためのガイド部材がこのシャッターカーテンの幅方向両側に設けられ、前記ロック部材と前記電気的駆動装置はこれらのガイド部材ごとに配置されていることを特徴する手動式シャッター装置のロック装置。
【請求項８】
請求項６に記載の手動式シャッター装置のロック装置において、前記シャッターカーテンの開閉移動を案内するためのガイド部材がこのシャッターカーテンの幅方向両側に設けられているとともに、これらのガイド部材のうち、少なくとも一方には前記ロック部材と前記電気的駆動装置が配置され、前記シャッターカーテンには前記ロック部材に係止してこのシャッターカーテンを施錠状態とする係止部材が設けられ、この係止部材は前記ロック部材に係止しない位置へ移動操作可能となっていることを特徴とする手動式シャッター装置のロック装置。
【発明の詳細な説明】
【０００１】
【発明の属する技術分野】
本発明は、シャッターカーテンの開閉移動のうち少なくとも開き移動が手操作によってなされる手動式シャッター装置におけるシャッターカーテンのロック装置に関する。
【０００２】
【背景技術】
住宅の窓や車庫の出入口、店舗の出入口等には手動式シャッター装置が設置される場合がある。この手動式シャッター装置のシャッターカーテンは、開閉移動のうちの少なくとも開き移動が手操作によってなされ、手動式シャッター装置の種類によっては、シャッターカーテンの開閉移動の両方が手操作でなされたり、開き移動が閉じ移動時に蓄圧されたスプリングのリターン力等を補助力として利用してなされたりするものがある。
【０００３】
このような手動式シャッター装置には、防犯上等の理由から、全閉となっているシャッターカーテンを手操作で開き移動することを阻止できて施錠できるようにしたロック装置が設けられるものがある。下記の特許文献１に記載の手動式シャッター装置におけるロック装置では、シャッターカーテンに、シャッターカーテンの開閉移動を案内するガイドレールの内部にロック部材として設けられている係合部材と係合する係合片がスライド自在に配置され、この係合片は、シャッターカーテンの外面側に鍵穴が設けられたシリンダ錠をキー操作することにより、スライド不能となり、これにより、シャッターカーテンは開き移動できないロック状態となる。
【０００４】
【特許文献１】
特開平１０−４６８８８（段落番号０００５７、段落番号００６４、段落番号００６５、図１及び図２）
【０００５】
【発明が解決しようとする課題】
この従来の手動式シャッター装置のロック装置でも所定の防犯機能を期待できるが、所謂ピキッングの対象となる鍵穴がシャッターカーテンの外面に表れるため、ロック装置のロックが解除されるおそれがあるとともに、鍵穴が設けられているシリンダ錠を破壊等することによってもロック装置のロックが解除されるおそれがある。このようなことを考慮すると、手動式シャッター装置のロック装置による防犯機能をより向上させることが望まれる。
【０００６】
本発明の目的は、防犯機能をより向上させることができるようになる手動式シャッター装置のロック装置を提供するところにある。
【０００７】
【課題を解決するための手段】
本発明に係る手動式シャッター装置のロック装置は、開閉移動のうち、少なくとも開き移動が手操作でなされる開閉移動自在なシャッターカーテンのこの開き移動を阻止するためのロック部材を備えたシャッター装置のロック装置において、前記ロック部材の位置を前記シャッターカーテンが開き移動不能となった施錠位置から開き移動可能となった開錠位置へ変更可能とするための電気信号を生ずる電気的制御装置を有し、この電気的制御装置が前記電気信号を生じない通常時の前記ロック部材は、前記シャッターカーテンが開き移動不能となった前記施錠位置を維持していることを特徴とするものである。
【０００８】
この手動式シャッター装置のロック装置によると、電気的制御装置が電気信号を生じない通常時のロック部材は、シャッターカーテンが開き移動不能となった施錠位置を維持しているため、たとえ、電気的制御装置が破壊等されても、ロック部材によるロック機能によってシャッターカーテンの手操作による開き移動が阻止されて施錠状態が維持されることになる。このため、ロック装置による防犯機能がより向上することになる。
【０００９】
本発明において、電気的制御装置は、ロック部材の位置を前記シャッターカーテンが開き移動不能となった施錠位置から開き移動可能となった開錠位置へ変更可能とするための前記電気信号が生じてからの時間を監視するための時間監視手段を有していることが好ましく、この時間監視手段で監視された所定時間経過した後にロック部材の位置が前記施錠位置に維持されることが好ましい。
【００１０】
これによると、電気的制御装置での前記電気信号の発生によりシャッターカーテンが開き移動可能となったにもかかわらず、これを放置して開き移動させなかった場合には、時間監視手段で監視された時間が所定時間になると、電気的制御装置における前記電気信号は消滅し、これにより、ロック部材の位置はシャッターカーテンが開き移動不能となった施錠位置に維持され、この結果、第三者はシャッターカーテンを開き移動させることはできず、ロック装置による防犯性を確保できる。
【００１１】
なお、この場合、シャッターカーテンの開き移動を検出するためのセンサやスイッチ等による検出手段をシャッターカーテンの開閉移動経路やシャッターカーテンを開閉移動させる部材等に配置し、この検出手段によってシャッターカーテンの開き移動が検出されず、かつ前記時間監視手段により監視された時間が前記所定時間となったときに、ロック部材の位置が前記施錠位置に維持されることが好ましい。
【００１２】
これによると、シャッターカーテンの開き移動が所定時間の経過までに行われない場合に、ロック部材を施錠位置に維持させることができる。
【００１３】
この手動式シャッター装置のロック装置において、電気的制御装置とロック部材との関係は、電気的制御装置が電気信号を生ずることにより、ロック部材の位置が、シャッターカーテンが開き移動不能となった施錠位置から開き移動可能となった開錠位置へ変更可能となれば、任意である。
【００１４】
例えば、その第１番目の例は、ロック装置に電気的制御装置で生じた電気信号に基づいて作動する電気的駆動装置を設けるとともに、この電気的駆動装置に上記電気信号に基づいて駆動されるストップ部材を設け、このストップ部材の位置に応じてロック部材の位置が、シャッターカーテンが開き移動不能となった施錠位置に維持されたり、この施錠位置から、シャッターカーテンが開き移動可能となった開錠位置へ変更可能となったりするように構成することである。
【００１５】
第２番目の例は、ロック装置に電気的制御装置からの電気信号を受ける電気的駆動装置を設けるとともに、この電気的駆動装置に上記ロック部材を設け、電気的駆動装置が上記電気信号を受けないときのロック部材の位置を、電気的駆動装置の一部を構成する機械部材によってシャッターカーテンが開き移動不能となった施錠位置に維持させ、電気的駆動装置が上記電気信号を受けると、この電気信号によりロック部材の位置を、シャッターカーテンが開き移動可能となった開錠位置へ変更可能又は変更させるように構成することである。
【００１６】
第３番目の例は、ロック部材を電気的制御装置の一部を構成する部材とし、電気的制御装置が生ずる上記電気信号の有無によって電気的制御装置の一部を構成する機械部材によってロック部材の位置を、シャッターカーテンが開き移動不能となった施錠位置に維持させたり、シャッターカーテンが開き移動可能となった開錠位置へ変更可能又は変更させたりするように構成することである。
【００１７】
また、本発明において、ロック部材についての前記施錠位置と前記開錠位置は、ロック部材が揺動することによる位置でもよく、ロック部材が回動することによる位置でもよく、ロック部材が進退することによる位置でもよく、これらの動きが複合した位置でもよく、ロック部材のその他の動きによる位置でもよく、シャッターカーテンを施錠したり開錠したりするロック部材の動きは任意である。
【００１８】
また、ロック部材は、シャッターカーテンの開閉移動を案内するためのガイド部材に配置してもよく、シャッターカーテンに配置してもよい。ロック部材がガイド部材に配置される場合には、シャッターカーテンにはこのロック部材に係止する係止部材が配置され、ロック部材がシャッターカーテンに配置される場合には、ガイド部材にはこのロック部材に係止する係止部材が配置される。
【００１９】
本発明において、電気的制御装置に前記電気信号を生じさせるためには、各種の方式を採用することができる。
【００２０】
例えば、第１番目の例は、電気的制御装置を送信手段からの無線信号を受信する受信手段を備えたものとし、この受信手段による無線信号の受信に基づき電気的制御装置が前記電気信号を生ずるようにすることである。
【００２１】
これによると、送信手段を有している者が無線信号を受信手段に発信することにより、電気的制御装置に前記電気信号を生じさせることができ、この者だけがシャッターカーテンを手操作で開き移動させることができる。
【００２２】
第２番目の例は、第１番目の例と同様に、電気的制御装置を送信手段からの無線信号を受信する受信手段を備えたものとするとともに、この無線信号には個々の送信手段の識別を可能とする識別情報を含ませ、また、電気的制御装置に、この識別情報を記憶しておくための記憶手段と、送信手段から受信手段へ送られた識別情報が記憶手段に記憶された識別情報と一致するか否かを判定する判定手段とを設け、これらの識別情報が一致したときに電気的制御装置が前記電気信号を生ずるようにすることである。
【００２３】
これによると、所定の識別情報を含んだ無線信号を受信手段に発信する送信手段やを用いたときだけ、電気的制御装置に前記電気信号を生じさせることができる。
【００２４】
これらの第１番目と第２番目の例において、前記無線信号は赤外線等の電磁波でもよく、超音波等の音波等でもよく、無線方式であれば任意な伝達媒体を採用できる。
【００２５】
第３番目の例は、電気的制御装置に、シャッターカーテンを開き移動操作する人についての個人情報を入力するための入力手段と、この個人情報を記憶しておくための記憶手段と、入力手段に入力された個人情報が記憶手段に記憶された個人情報と一致するか否かを判定する判定手段とを設け、これらの個人情報が一致したときに電気的制御装置が前記電気信号を生ずるようにすることである。
【００２６】
これよると、記憶手段に予め記憶（登録）された個人情報を有している人がその個人情報を入力手段に入力したときだけ、電気的制御装置に前記電気信号を生じさせることができる。
【００２７】
この第３番目の例において、個人情報を入力手段に入力する方式は、第１番目と第２番目の例と同じく、送信手段と電気的制御装置に設けられた受信手段とを用いる無線方式でもよく、入力手段に個人情報を直接的に入力する方式でもよい。前者の場合には、入力手段は電気的制御装置に設けられているため、この入力手段は受信手段となる。
【００２８】
以上の第１〜３番目の例によると、シャッターカーテンに所謂ピッキングの対象となる鍵穴を設ける必要がなくなるため、ロック装置の安全性を従来とよりも向上させることができる。
【００２９】
なお、第３番目の例において、個人情報とは、例えば、指紋でもよく、声紋でもよく、虹彩紋や網膜紋等の目に関する情報等でもよく、個人ごとに用意されたカードでもよく、個人を識別できるものであれば任意な情報でよい。
【００３０】
また、前述したように、ロック装置が電気的制御装置で生じた前記電気信号に基づいて作動する電気的駆動装置を有し、この電気的駆動装置にこの電気信号に基づいて駆動されるストップ部材が設けられる場合であって、電気的駆動装置が電気信号に基づいて作動していない通常時のこのストップ部材の位置が、ロック部材の位置をシャッターカーテンが開き移動不能となった前記施錠位置から開き移動可能となった前記開錠位置へ変更不能とするストップ位置となっている場合には、これらのロック部材と電気的駆動装置は、シャッターカーテンの開閉移動を案内するためにこのシャッターカーテンの幅方向両側に設けられているガイド部材ごとに配置してもよく、一方のガイド部材だけに配置してもよい。
【００３１】
ロック部材と電気的駆動装置をこれらのガイド部材ごとに配置した場合には、シャッターカーテンの幅方向両側で施錠できるため、大きな施錠効果を得られる。
【００３２】
なお、このようにガイド部材ごとにロック部材と電気的駆動装置を配置する場合には、ガイド部材やその他の箇所に配置した１個の電気的制御装置からの電気信号をそれぞれの電気的駆動装置に送るようにしてもよく、また、２個とした電気的制御装置を電気的駆動装置と一体化して又は別体化してガイド部材ごとに配置してもよい。
【００３３】
また、シャッターカーテンの開閉移動を案内するためにシャッターカーテンの幅方向両側に設けられるガイド部材のうちの少なくとも一方にロック部材と電気的駆動手段を配置する場合には、シャッターカーテンに、ロック部材に係止してこのシャッターカーテンを施錠状態とする係止部材が設けられることになるが、この係止部材をロック部材に係止しない位置へ移動操作可能とすることが好ましい。
【００３４】
これによると、係止部材の位置をロック部材に係止しない位置へ移動する操作を行うことにより、電気的制御装置で前記電気信号が生じないときであっても、シャッターカーテンの施錠状態を解除し、これによって手操作によるシャッターカーテンの開き移動を行うことができるようになる。
【００３５】
この係止部材の移動操作とは、スライド操作でもよく、回動操作でもよく、揺動操作でもよく、複数の動きが複合された操作等でもよい。
【００３６】
また、以上説明した本発明において、電気的制御装置の全部又は一部はマイクロコンピュータによるものでもよく、リレーを用いたリレー回路等によるものでもよく、その構成は任意である。
【００３７】
また、本発明に係る手動式シャッター装置は、住宅やビル、車庫、地下街、船舶等の構築物に設置されるものでよく、車両の荷台に設置されるものでもよく、その設置場所は任意である。
【００３８】
また、シャッターカーテンの開閉移動方向は、上下方向でもよく、横方向でもよく、これらの方向に対して傾斜した方向でもよい。
【００３９】
さらに、開き移動したシャッターカーテンを収納するる構造、形式は任意であり、他例えば、巻取軸で巻き取られてもよく、オーバードアのように、閉じ移動しているときのそのままの状態又は湾曲した状態で収納位置に収納されてもよく、シャッターカーテンを構成する部材が折り畳まれて又は分離することにより重ね合わせられて収納されてもよい。
【００４０】
また、シャッターカーテンの全部又は主要部を構成する部材も任意であり、スラットでもよく、パネルでもよく、シートでもよく、リンクで互いに連結されたパイプでもよく、ネット等でよく、さらには、これらのうちの少なくとも２つの組み合わせでもよい。
【００４１】
【発明の実施の形態】
以下に本発明の実施形態を図面に基づいて説明する。図１は、本実施形態に係るロック装置を備えた手動式シャッター装置の全体を示す正面図であり、このシャッター装置は、店舗の出入口等の開口部１０をシャッターカーテン１で開閉するものである。開口部１０の上部にはシャッターケース２が配設され、このシャッターケース２の内部に左右のブラケット３で回転自在に水平に支持された巻取軸４が収納され、この巻取軸４にシャッターカーテン１の上端が結合されている。シャッターカーテン１の左右方向両端部である幅方向両端部は、壁や柱等の建物躯体５に取り付けられたガイド部材であるガイドレール６の内部にスライド自在に挿入され、これらのガイドレール６に案内されてシャッターカーテン１は、巻取軸４に巻き取られ、巻取軸４から繰り出される上下方向の開閉移動を行うようになっている。
【００４２】
シャッターカーテン１の下端部は座板７であって、この座板７より上のカーテン本体８は多数のスラット９を上下に連設することにより形成されている。座板７がシャッターケース２又はその途中まで達しているシャッターカーテン１の全開時又は半開時において、座板７に先端を係止したロッド棒を引き下げる等の手操作を行うにより、シャッターカーテン１は巻取軸４を回転させながら閉じ移動を行う。また、多数のスラット９のうち、全閉時のシャッターカーテン１における腰の高さ位置程度にあるスラット９Ａには、シャッターカーテン１の外面側（室外側）から裏面側（室内側）へ窪んだ左右２個の手掛け部１１が設けられ、これらの手掛け部１１に挿入した手によりシャッターカーテン１を押し上げる手操作を行うことにより、シャッターカーテン１は巻取軸４を回転させながらこの巻取軸４に巻き取られて開き移動し、シャッターケース２の内部に収納される。
【００４３】
なお、巻取軸４には、シャッターカーテン１が閉じ移動したときに回転する巻取軸４でリターン力が蓄圧されるコイルばねが配置されているため、シャッターカーテン１の開き移動はこのリターン力で補助されながら行われる。
【００４４】
シャッターケース２の内部には、本実施形態に係るロック装置の一部を構成する電気的制御装置２０が配置され、この電気的制御装置２０には、左右のガイドレール６ごとに配置されたロック機構２１が電気配線２２で接続され、左右対称の構造となっているこれらのロック機構２１も本実施形態に係るロック装置を構成するものとなっている。
【００４５】
図２は、電気的制御装置２０をブロック図で示したもので、この電気的制御装置２０は、受信手段２３と、演算手段２４と、時間監視手段２４Ａと、記憶手段２５と、判定手段２６と、演算手段２４に接続されているドライバ回路２７に設けられたブザー２８、リレー２９とを有する構成となっており、リレー２９で通電、遮断のスイッチングがなされる上記電気配線２２に図１で示したロック機構２１に設けられているソレノイド３０が接続されている。そして、演算手段２４と時間監視手段２４Ａと記憶手段２５と判定手段２６は、マイクロコンピュータによって構成されている。
【００４６】
受信手段２３は、図１で示されている送信手段３１からの無線信号を受信するもので、この無線信号は赤外線等の電磁波によるものである。また、この無線信号には、その送信手段３１だけに割り当てられた識別情報が含まれている。この識別情報はＩＤコードだけでもよく、ＩＤコードとそのチェックサムでもよい。記憶手段２５には、その送信手段３１から受信手段２３へ送られる識別情報と同じ情報が予め記憶され、判定手段２６は、受信手段２３が受信した識別情報と記憶手段２５に記憶されている識別情報とが一致するか否かを演算手段２４による演算処理機能に基づき判定する。
【００４７】
図３には、図１の手掛け部１１が設けられたスラット９Ａの裏面の構造が示している。このスラット９Ａの長さ方向両端部、言い換えると、シャッターカーテン１の幅方向両端部には、係止部材４０がシャッターカーテン１の幅方向外側の外端部に連結されたスライド部材４１が配置され、これらのスライド部材４１の内端部には延長部材４２の外端部が連結され、さらにこの延長部材４２の内端部にはエンド部材４３が固定されている。スライド部材４１はガイド体４４で案内されて、また延長部材４２はガイド部材４５で案内されて、それぞれスラット９Ａの長さ方向にスライド自在となっている。
【００４８】
図４は、図３のガイド体４４の部分を示す拡大図であり、図５は、図４のＳ５−Ｓ５線断面図である。これらの図で示されているように、ガイド体４４は、スラット９Ａにリベット等の止着具４６で止着されたベース部材４７と、このベース部材４７にベース部材４７の折り曲げ片４７Ａで固定されたカバー部材４８とで形成されている。カバー部材４８は、上下方向、すなわちシャッターカーテン１の開閉移動方向の中央部又は略中央部がシャッターカーテン１の厚さ方向に隆起した隆起部４８Ａとなった断面チャンネル状となっており、この隆起部４８Ａとベース部材４７との間の空間にスライド部材４１がスライド自在に挿入されている。
【００４９】
図５で示されているとおり、スライド部材４１とベース部材４７には立ち上がった突起部４１Ａ，４７Ｂが形成され、これらの突起部４１Ａ，４７Ｂにコイルばね４９が架設されている。このため、このばね４９によってスライド部材４１及び図３で示した延長部材４２は常時シャッターカーテン１の外側方向へ弾性付勢されている。また、シャッターカーテン１の開閉方向であるスライド部材４１の幅方向の両側には、シャッターカーテン１の厚さ方向に起立した起立部４１Ｂが形成され、これらの起立部４１Ｂに設けられた凹部４１Ｃに、前記係止部材４０の端部に設けられている軸４０Ａが回動自在に係合している。このため、係止部材４０は、スライド部材４１に対して軸４０Ａを中心にシャッターカーテン１の厚さ方向へ揺動自在となっている。
【００５０】
ベース部材４７の外端部にはシャッターカーテン１の厚さ方向へ膨出した膨出部４７Ｃが形成され、図５で示すように、スライド部材４１がばね４９でシャッターカーテン１の外側方向位置に達しているときには、全体的にシャッターカーテン１の厚さ方向に湾曲した形状となっている係止部材４０は、膨出部４７Ｃに乗り上げることによってシャッターカーテン１の厚さ方向とシャッターカーテン１の幅方向との両方への大きな突出量を有している。一方、図６で示すように、スライド部材４１がばね４９に抗してシャッターカーテン１の内側方向へ移動したときには、係止部材４０がカバー部材４８の隆起部４８Ａの先端と膨出部４７Ｃとの間に挟まれて軸４０Ａを中心に揺動することにより、シャッターカーテン１の厚さ方向とシャッターカーテン１の幅方向との両方への突出量が小さくなる。
【００５１】
図４で示されているとおり、係止部材４０の上面４０Ｂは水平な面又は略水平な面となっており、下面４０Ｃは、シャッターカーテン１の幅方向の内側から外側へ延びるにしたがい上方へ向かう傾斜面となっている（図８〜図１０も参照）。
【００５２】
図７は、図１のＳ７−Ｓ７線断面図であり、この図７には前述したロック機構２１が示されている。前記ガイドレール６は、シャッターカーテン１の幅方向端部がスライド自在に挿入された断面チャンネル状のレール本体６Ａと、このレール本体６Ａにおけるシャッターカーテン１の幅方向外側の背面６Ｂに結合された断面チャンネル状の補助部材６Ｃとからなり、レール本体６Ａの背面６Ｂには、ロック機構２１が配置された高さ位置において窓孔６Ｄが形成され、補助部材６Ｃの内部空間に収納配置されているロック機構２１の一部がこの窓孔６Ｄからレール本体６Ａの内部に臨んでいる。
【００５３】
ロック機構２１は、電気的駆動装置５０とロック部材５１とにより構成されており、電気的駆動装置５０のケース５２をケース本体５２Ａと共に形成しているカバー部材５２Ｂが取り外された電気的駆動装置５０の内部構造の正面図が、図８で示されている。この図８で示されているように、ケース５２の内部には図３で示されたソレノイド３０が配置され、このソレノイド３０の下向きとなっていて上下動するプランジャ３０Ａにストップ部材５３が連結されている。このストップ部材５３には、ケース本体５２Ａに設けられているガイド部材５４，５５に接触し、ストップ部材５３の上下動を案内するための回転自在なガイドローラ５６，５７と、これらのガイドローラ５６，５７よりも下側で回転自在に配置されたストップローラ５８とが設けられている。
【００５４】
ロック部材５１には上下の第１軸５９と第２軸６０が挿通され、下側の第２軸６０の両端部はケース本体５２Ａとカバー部材５２Ｂとに固定されているとともに、この第２軸６０が挿通されたロック部材５１の孔５１Ａは、第１軸５９を中心とする円弧状孔となっている。このため、ロック部材５１は、二点鎖線５１’で示すように、第１軸５９を中心に下向きに、言い換えるとシャッターカーテン１の閉じ側へ揺動可能である。また、第１軸５９と第２軸６０にはばね６１が巻回され、このばね６１の一端６１Ａはロック部材５１に係止されているとともに、他端６１Ｂはケース本体５２Ａに係止されている。このため、通常時のロック部材５１は、このばね６１のばね力によって図８の実線で示された揺動位置にある。このときのロック部材５１の上面５１Ｂは、シャッターカーテン１の幅方向の外側から内側へ延びるにしたがい下方へ傾斜する傾斜面となっており、また、下面５１Ｃは水平な面又は略水平な面となっている。
【００５５】
また、第１軸５９の両端部はケース本体５２Ａとカバー部材５２Ｂとに形成された円弧溝６２にスライド可能に挿入されている。このため、図１０で示されているとおり、ソレノイド３０のプランジャ３０Ａ及びストップ部材５３が上昇したときには、ロック部材５１は、第２軸６０を中心に上向きに、言い換えるとシャッターカーテン１の開き側へ揺動可能である。
【００５６】
また、図８に示すように、ケース本体５２Ａには、前記ソレノイド３０が配置された凹部と前記プランジャ３０Ａが上下動する凹部とを仕切るための仕切り部５２Ｂが設けられ、この仕切り部５２Ｂと、プランジャ３０Ａに固定されたばね受け部材６３との間に、コイルばね６４がプランジャ３０Ａに巻回されて配置されている。このため、ソレノイド３０が励磁されない通常時、言い換えると、前記電気配線２２に電気が非通電となっているときには、プランジャ３０Ａ及びストップ部材５３は、ばね６４でソレノイド３０から下向きに突出した突出位置に達しており、ソレノイド３０が励磁されたときには、図１０で示されているように、プランジャ３０Ａ及びストップ部材５３は、ばね６４を圧縮して上昇位置に達する。
【００５７】
ソレノイド３０が非励磁となっていて、プランジャ３０Ａ及びストップ部材５３が下向きに突出している通常時には、図８で示されているとおり、ストップ部材５３のストップローラ５８により、第２軸６０を中心とするロック部材５１の上向きの揺動が阻止される。一方、ソレノイド３０が励磁されてプランジャ３０Ａ及びストップ部材５３が上昇したときには、図１０で示すように、第２軸６０を中心とするロック部材５１の上向きの揺動が許容される。
【００５８】
次に、本実施形態に係る手動式シャッター装置のロック装置の作用について説明する。
【００５９】
図８は、ソレノイド３０が励磁されていない通常時において、係止部材４０がロック部材５１よりも高い位置となっていたシャッターカーテン１を手操作により閉じ移動させているときを示している。この閉じ移動の途中において、係止部材４０の傾斜している下面４０Ｃはロック部材５１の傾斜している上面５１Ｂに当接し、これにより、ロック部材５１はばね６１に抗して第１軸５９を中心に下向きに揺動し、また、係止部材４０も図４〜図６で示されたばね４９に抗してシャッターカーテン１の幅方向内側へ後退する。これにより、係止部材４０はロック部材５１を通過してシャッターカーテン１が全閉状態となる。そして、係止部材４０がロック部材５１を通過すると同時に、ロック部材５１はばね６１で第１軸５９を中心に戻り揺動し、係止部材４０もばね４９でシャッターカーテン１の幅方向外側へ前進復帰する。このときの状態が図９で示されている。
【００６０】
このときには、係止部材４０の水平又は略水平な上面４０Ｂはロック部材５１の水平又は略水平な下面５１Ｃと対面しており、また、ソレノイド３０のプランジャ３０Ａ及びストップ部材５３は下向きに突出した位置にあって、第２軸６０を中心とするロック部材５１の上向き揺動をストップローラ５８で阻止する状態になっている。このため、前述した手掛け部１１に手を掛けてシャッターカーテン１を開き移動させようとしても、係止部材４０の上面４０Ｂがロック部材５１の下面５１Ｃに当接することにより、シャッターカーテン１を開き移動させることができない。
【００６１】
すなわち、このときのシャッターカーテン１はロック部材５１のロック機能によって施錠され、したがってロック部材５１の位置は、シャッターカーテン１を開き移動不能とする施錠位置となっている。また、ストップ部材５３の位置は、ロック部材５１の位置を、シャッターカーテン１を施錠するこの施錠位置からシャッターカーテン１を開き移動可能とする図１０の開錠位置へ変更不能とするためのストップ位置となっている。
【００６２】
図１１は、この後にシャッターカーテン１を開き移動可能とするために、図２の電気的制御装置２０のプログラムによって実行されるフローチャートを示す。図１で示された送信手段３１から前述した識別情報を含む無線信号を電気的制御装置２０の受信手段２３に送信すると、この識別情報が記憶手段２５に予め登録（記憶）されている識別情報と一致するか否かが判定手段２６で判定される（ステップＳ１）。一致している場合には、演算手段２４は図２のドライバ回路２７を通電させ、言い換えると、演算手段２４からの電気信号によってドライバ回路２７における通電がなされ、この通電でドライバ回路２７に設けられているリレー２９がオン作動するとともに、ブザー２８は鳴動する（ステップＳ２）。本実施形態では、時間監視手段２４Ａが有している時間監視機能により、リレー２９のオン作動は１０秒間、ブザー２８の鳴動は１秒間にそれぞれ設定されている。
【００６３】
リレー２９がオン作動すると、図２で示された左右のソレノイド３０のための電気配線２２への通電がなされ、これにより、これらのソレノイド３０が励磁される。この結果、図１０で示されているように、ソレノイド３０のプランジャ３０Ａ及びストップ部材５３はばね６４に抗して上昇する。
【００６４】
この後、手掛け部１１に手を掛けてシャッターカーテン１を持ち上げることにより、ロック部材５１に当接した係止部材４０は、このロック部材５１を、図１０の二点鎖線で示した位置から実線で示した位置へばね６１に抗して第２軸６０を中心に上向きに揺動させる。これにより、ロック部材５１はシャッターカーテン１を開き移動させることができる開錠位置に達することになり、シャッターカーテン１を開き移動させることができる。そして、係止部材４０がロック部材５１を通過すると同時に、ロック部材５１は、ばね６１の蓄圧されたばね力により第２軸６０を中心に戻り揺動し、前記施錠位置となっている図８及び図９の実線で示した位置に復帰する。
【００６５】
一方、図１１のステップＳ１において、受信手段２３で受信された無線信号に含まれている識別情報が記憶手段２５に登録されている識別情報と異なる場合、すなわち、受信手段２３へ無線信号を送信した送信手段３１が、この手動式シャッター装置のために用意された送信手段ではない場合には、リレー２９のオン作動やブザー２８の鳴動はなされず、ソレノイド３０も励磁されない。このため、シャッターカーテン１の手操作による開き移動は、ばね６４のためにソレノイド３０から下向きに突出しているプランジャ３０Ａ及びストップ部材５３によって前記施錠位置を維持するロック部材５１により、阻止される。
【００６６】
また、このようにロック部材５１が施錠位置に維持されている場合においても、全閉となっているシャッターカーテン１の裏側（シャッターカーテン１によって閉じられている室内側）にいる人が、図３で示されたエンド部材４３をシャッターカーテン１の幅方向内側へ移動させる操作を行うと、このエンド部材４３に前記延長部材４２と前記スライド部材４１を連結されている係止部材４０もばね４９に抗して同じ方向へスライド移動するため、全閉のシャッターカーテン１をロック部材５１と共に施錠状態としていた係止部材４０は、ロック部材５１に係止しない位置へと移動する。
【００６７】
これにより、送信手段３１を用いることなく、すなわち、前記電気的制御装置２０に電気的駆動装置５０のソレノイド３０を励磁させるための電気信号を生じさせることなく、エンド部材４３に上向きの手操作力を加えることによってシャッターカーテン１を開き移動させることができる。そして、係止部材４０がロック部材５１を通過した後、エンド部材４３から手を離すと、係止部材４０はばね４９によってシャッターカーテン１の幅方向外側へ前進復帰する。
【００６８】
また、リレー２９がオン作動してからの時間が１０秒経過すると、この時間経過を監視していた時間監視手段２４Ａからの信号により、演算手段２４はドライバ回路２７を通電させていた電気信号を停止させる。これにより、ソレノイド３０が非励磁となり、ソレノイド３０のプランジャ３０Ａ及びストップ部材５３はばね６４により下向きに下降し、ロック部材５１は前記施錠位置を維持することになる。
【００６９】
このため、リレー２９がオン作動してから１０秒が経過するまでの間にシャッターカーテン１を開き移動させずに放置した場合には、施錠位置を維持するロック部材５１のため、第三者はシャッターカーテン１をこのシャッターカーテン１の外面側から開き移動させることはできない。
【００７０】
なお、シャッターカーテン１の開閉移動を案内する前記ガイドレール６やシャッター１を巻き取る前記巻取軸４にシャッターカーテン１の開き移動を検出するためのスイッチ等による検出手段を設け、この検出手段がシャッターカーテン１の開き移動を検出したとの信号が演算手段２４に入力せず、かつ時間監視手段２４Ａで監視されている時間がリレー２９のオン作動から１０秒間経過したときに、演算手段２４は、ドライバ回路２７を通電させていた電気信号を停止するようにしてもよい。そして、検出手段がシャッターカーテン１の開き移動を検出した場合には、リレー２９のオン作動から１０秒間が経過する前であっても、演算手段２４は、ドライバ回路２７を通電させていた電気信号を停止するようにしてもよい。
【００７１】
以上説明した本実施形態によると、電気的制御装置２０は、ロック部材５１の位置をシャッターカーテン１が開き移動不能となった施錠位置から開き移動可能となった開錠位置へ変更可能とするための電気信号を生ずるものとなっているが、送信手段３１から無線信号が電気的制御装置２０の受信手段２３に送信されない通常時には、言い換えると、電気的制御装置２０において電気的駆動装置５０のソレノイド３０を励磁するための電気信号が生じないときには、ソレノイド３０のプランジャ３０Ａ及びストップ部材５３は、ばね６４によって下向きに突出した位置にあり、この位置は、ロック部材５１を、全閉のシャッターカーテン１を施錠するための施錠位置に維持するストップ位置になっており、通常時のロック部材５１を、ストップ部材５３によってシャッターカーテン１を開き移動不能とする施錠位置に維持させることができる。
【００７２】
このため、たとえ、電気的制御装置２０が破壊等されても、施錠位置が通常時の位置となっているロック部材５１のノーマルロック機能により、シャッターカーテン１の手操作による開き移動が阻止されてシャッターカーテン１の施錠状態を維持することができ、このため、ロック装置による防犯機能がより向上することになる。
【００７３】
また、電気的駆動装置５０のソレノイド３０を励磁するための電気的制御装置２０における電気信号は、送信手段３１から電気的制御装置２０の受信手段２３へ無線信号が送信されることにより生じるため、本実施形態に係るロック装置には、所謂ピッキングの対象となり易い鍵穴を設ける必要がなくなる。このため、この点でもロック装置による防犯機能をより向上させ、ロック装置の安全性を向上させることができる。
【００７４】
また、本実施形態によると、送信手段３１から受信手段２３に送信される無線信号に、電気的制御装置２０の記憶手段２５に登録された識別情報と同じ情報が含まれ、これらの情報が判定手段２６で同一と判定されたときに、電気的制御装置２０は電気的駆動装置５０のソレノイド３０を励磁する電気信号を生じ、ロック部材５１は、シャッターカーテン１を開き操作不能とする施錠位置から開き操作可能とする開錠位置へ変更可能となるため、所定の送信手段３１を用いた場合だけシャッターカーテン１を開き操作できるようになり、この点でも本実施形態に係るロック装置の防犯機能はより向上している。
【００７５】
また、電気的制御装置２０で生じた電気信号でソレノイド３０が励磁される電気的駆動装置５０、及びロック部材５１は、シャッターカーテン１の開閉移動を案内するための左右のガイドレール６ごとに配置されているため、全閉時のシャッターカーテン１の施錠をこれらのガイドレール６において行えることになり、その施錠強度を向上させることができる。
【００７６】
さらに、本実施形態によると、シャッターカーテン１にはロック部材５１に係止してシャッターカーテン１を施錠状態とするための係止部材４０が設けられているとともに、この係止部材４０は、エンド部材４３によってロック部材５１に係止しない位置へ移動操作することができるため、ロック部材５１の位置が、ソレノイド３０が励磁されないためにシャッターカーテン１を施錠するための施錠位置に維持されているときでも、エンド部材４３の操作により、シャッターカーテン１を開き移動させることができる。
【００７７】
図１２は、電気的駆動装置５０とロック部材５１の配置位置に関する別実施形態を示す。この実施形態では、ガイドレール６を構成する補助部材６Ｄは、レール本体６Ａにおけるシャッターカーテン１の厚さ方向の側面に結合されている。したがって、この補助部材６Ｄの内部に大部分が配置されている電気的駆動装置５０、及びロック部材５１は、シャッターカーテン１の厚さ方向において係止部材４０と対向している。
【００７８】
このように左右のガイドレール６ごとに配置される電気的駆動装置５０とロック部材５１のシャッターカーテン１に対する位置は、任意である。
【００７９】
図１３は、係止部材４０をロック部材５１に係止しない位置へ変更操作可能するための別実施形態を示す。それぞれの前述した延長部材４２の内端部には、前記手掛け部１１まで達する長さの操作部材７０が連結されている。図１４は、図１３のＳ１４−Ｓ１４線断面図であり、この図１４で示されているように、手掛け部１１の位置には、前記スラット９Ａに形成されている孔９Ｂに挿入された手掛け部材７１が配置され、この手掛け部材７１に、シャッターカーテン１の外面側から裏面側へ窪んだ手掛け部用凹部７１Ａが形成されている。そして、スラット９Ａは、この手掛け部材７１におけるシャッターカーテン１の厚さ方向両側に形成されたフランジ部７１Ｂと７１Ｃの間に挿入された状態になっているとともに、操作部材７０は、この操作部材７０に形成されたスラット９Ａの長さ方向に長い長孔７０Ａの内部に手掛け部材７１が挿入されることにより、フランジ部７１Ｂと７１Ｃの間でスラット９Ａの長さ方向へスライド自在に挿入された状態となっている。
【００８０】
このため、操作部材７０をスラット９Ａの長さ方向であってシャッターカーテン１の幅方向内側へスライド移動させることにより、係止部材４０をロック部材５１に係止しない位置へ変更操作することができる。
【００８１】
この実施形態によると、スラット９Ａに左右２個設けられる手掛け部１１の位置及びその間隔は、シャッターカーテン１を手操作で開き移動させる人が左右の手を掛け易い位置及び間隔となっているため、左右の係止部材４０をそれぞれのロック部材５１に係止しない位置へ変更するための操作を、手掛け部１１の位置に配置されている左右の操作部材７０によって容易に行えるようになる。
【００８２】
この実施形態では、操作部材７０をシャッターカーテン１の幅方向内側へスライド操作し易いように、図１４で示されているとおり、操作部材７０の上下面７０Ｂ，７０Ｃには凹凸部が形成されている。
【００８３】
なお、左右の係止部材４０を同時にロック部材５１に係止しない位置へ移動操作できるようにするため、これらの係止部材４０をワイヤー等の紐状部材で連結し、この紐状部材を回転操作部材で巻き取ったり引っ張りたりし、あるいは、これらの係止部材４０を、操作部材で作動するレバー機構やリンク機構で連結し、この操作部材の操作によって左右の係止部材４０を同時にロック部材５１に係止しない位置へ移動操作できるようにしてもよい。
【００８４】
図１５〜図１７は、電気的駆動装置５０のソレノイド３０を、シャッターカーテン１を手操作で開き移動させる人の個人情報によって励磁させることができるようにした実施形態を示す。これらの実施形態において、電気的制御装置２０には、前記受信手段２３に代えて、個人情報を入力するための入力手段８０が設けられ、記憶手段２５には、この個人情報と同じ情報が登録されている。これらの実施形態では、入力手段８０に入力された個人情報と、記憶手段２５に登録されている個人情報とが判定手段２６で同一と判定されたとき、電気的制御装置２０は、前記実施形態と同じく、ソレノイド３０を励磁する電気信号を生ずる。
【００８５】
個人情報は、図１５の実施形態では指８１の指紋であり、図１６の実施形態では口８２から発する声の声紋であり、図１７の実施形態では目８３の虹彩紋及び／又は網膜紋である。
【００８６】
これらの実施形態によると、予め個人情報が記憶手段２５に登録されている人のみがシャッターカーテン１を開き移動できることになり、ロック装置の防犯機能が一層向上する。
【００８７】
なお、記憶手段２５に登録する個人情報は、一人の個人情報でもよく、複数人の個人情報でもよい。
【００８８】
【発明の効果】
本発明によると、手動式シャッター装置に設けるロック装置の防犯機能をより向上させることができるという効果を得られる。
【図面の簡単な説明】
【図１】本発明の一実施形態に係るロック装置を備えた手動式シャッター装置の全体を示す正面図である。
【図２】図１で示されている電気的制御装置をブロック図でした図である。
【図３】図１で示されている手掛け部が設けられたスラットの裏面の構造を示す図である。
【図４】図３で示されているガイド体の部分の拡大図である。
【図５】図４のＳ５−Ｓ５線断面図である。
【図６】スライド部材がばねに抗してシャッターカーテンの内側方向へ移動したときを示す図５と同様の図である。
【図７】図１のＳ７−Ｓ７線断面図である。
【図８】図７で示されたロック機構の電気的駆動装置の内部構造を示す図で、閉じ移動しているシャッターカーテンのスラットに設けられている係止部材がロック部材よりも高い位置にあるときを示す正面図である。
【図９】シャッターカーテンのスラットに設けられている係止部材がロック部材よりも低い位置に達してシャッターカーテンが全閉となったときを示す図８と同様の図である。
【図１０】シャッターカーテンのスラットに設けられている係止部材がロック部材よりも低い位置から高い位置に達するシャッターカーテンの開き移動時を示す図８と同様の図である。
【図１１】施錠されたシャッターカーテンを開き移動可能とするために、図２の電気的制御装置のプログラムで実行されるフローチャートを示す図である。
【図１２】電気的駆動装置５０とロック部材５１の配置位置に関する別実施形態を示す図７と同様の図である。
【図１３】係止部材をロック部材に係止しない位置へ変更操作可能するための別実施形態を示す図３と同様の図である。
【図１４】図１３のＳ１４−Ｓ１４線断面図である。
【図１５】個人情報のうちの指紋により、ソレノイドを励磁するための電気信号を電気的制御装置で生じさせるようにした実施形態を示す図２を同様の図である。
【図１６】個人情報のうちの声紋により、ソレノイドを励磁するための電気信号を電気的制御装置で生じさせるようにした実施形態を示す図２を同様の図である。
【図１７】個人情報のうちの虹彩紋や網膜紋により、ソレノイドを励磁するための電気信号を電気的制御装置で生じさせるようにした実施形態を示す図２を同様の図である。
【符号の説明】
１  シャッターカーテン
４  巻取軸
６  ガイド部材であるガイドレール
２０  電気的制御装置
２１  ロック機構
２３  受信手段
２４  演算手段
２４Ａ  時間監視手段
２５  記憶手段
２６  判定手段
３０  ソレノイド
４０  係止部材
５０  電気的駆動装置
５３  ストップ部材
８０  入力手段
【図１】
2004308305.tif 000003
【図２】
2004308305.tif 000004
【図３】
2004308305.tif 000005
【図４】
2004308305.tif 000006
【図５】
2004308305.tif 000007
【図６】
2004308305.tif 000008
【図７】
2004308305.tif 000009
【図８】
2004308305.tif 000010
【図９】
2004308305.tif 000011
【図１０】
2004308305.tif 000012
【図１１】
2004308305.tif 000013
【図１２】
2004308305.tif 000014
【図１３】
2004308305.tif 000015
【図１４】
2004308305.tif 000016
【図１５】
2004308305.tif 000017
【図１６】
2004308305.tif 000018
【図１７】
2004308305.tif 000019